(57)【要約】【課題】  簡単な構成で、需要者に対する商品アピール度を向上させた商品見本を提供する。【課題の解決手段】  自動販売機の展示台に設置する缶状商品見本１は、商品見本展示台に取り付ける合成樹脂からなる枠体３と、この枠体３に着脱可能に装着する同じく合成樹脂からなる表示シート２とからなり、この表示シート２には、商品情報５，６表示部分の外側に沿って切り込みを設け、商品情報５，６表示部分の少なくとも一部を起立させたものである。【選択図】    図４
2006079518.tif 000002
【特許請求の範囲】
【請求項１】
自動販売機の商品見本展示台に設置する商品見本であって、商品見本展示台に取り付ける合成樹脂からなる枠体と、この枠体に着脱可能に装着する同じく合成樹脂からなる表示シートとからなり、この表示シートには、商品情報表示部分の外側に沿って切り込みを設け、当該商品情報表示部分の少なくとも一部を起立させたことを特徴とする自動販売機用商品見本。
【請求項２】
自動販売機の商品見本展示台に設置する合成樹脂からなる半割状の商品見本であって、商品情報表示部分の外側に沿って切り込みを設け、当該商品情報表示部分の少なくとも一部を起立させたことを特徴とする自動販売機用商品見本。
【発明の詳細な説明】
【技術分野】
【０００１】
本発明は、自動販売機の商品見本展示台（以下単に展示台という）に設置する商品見本に関する。
【背景技術】
【０００２】
自動販売機における商品見本としては、缶の形態を模したものと、ボトルの形態を模したものとがある。前者としては、展示台に取り付ける枠体と、この枠体に着脱可能に装着する表示シートとからなるのが一般的である。また、後者としては、ボトルの正面側半分に対応する半割状のものが多く使用されており、この半割状の商品見本は、展示台の装着孔に、下端部に形成した係止部を嵌合係止して、設置するのが一般的である。これらの商品見本はいずれも、実際の商品に倣ったデザインを施されているに過ぎないので、需要者に対する特別な商品アピールに欠けるものである。
【０００３】
この点を考慮して、半割状の商品見本や表示シートとは別体のシート状の販売促進補助具に、宣伝広告文などの商品情報を表示し、この販売促進補助具を、半割状の商品見本や枠体に取り付けることにより、需要者に対して商品アピールをすることが提案されている。
【特許文献１】実用新案登録第３０７５７１６号公報
【発明の開示】
【発明が解決しようとする課題】
【０００４】
ところが、この別体の販売促進補助具を使用する構成では、２枚のシートを各別に枠体に装着したり、半割状の商品見本にさらに別のシートを装着しなければならないので、この装着作業が繁雑であるとともに、この煩雑さと相俟って、正規の状態で別体のシートを装着するのが困難であり、見栄えが悪い装着状態になってしまい、所望の宣伝広告効果が期待できないという不都合を生じている。
【０００５】
本発明は、このような事情に鑑みてなされたもので、簡単な構成で、需要者に対する商品アピール度を向上させた商品見本を提供することを目的とする。
【課題を解決するための手段】
【０００６】
この目的を達成するため、本発明の請求項１に係る自動販売機用商品見本は、自動販売機の展示台に設置する商品見本であって、商品見本展示台に取り付ける合成樹脂からなる枠体と、この枠体に着脱可能に装着する同じく合成樹脂からなる表示シートとからなり、この表示シートには、商品情報表示部分の外側に沿って切り込みを設け、当該商品情報表示部分の少なくとも一部を起立させたことを特徴とする。
【０００７】
同じく上記目的を達成するために、本発明の請求項２に係る自動販売機用商品見本は、自動販売機の商品見本展示台に設置する合成樹脂からなる半割状の商品見本であって、商品情報表示部分の外側に沿って切り込みを設け、当該商品情報表示部分の少なくとも一部を起立させたことを特徴とする。
【０００８】
なお、上述の商品情報とは、商品の広告文、品質表示などを表す文字情報や、原料を示す図柄など、商品に関連する全ての情報を意味する。
【発明の効果】
【０００９】
本発明の請求項１に係る自動販売機用の商品見本によれば、表示シートの商品情報表示部分の少なくとも一部が立体的に起立するので、需要者に対する商品アピール度が向上するとともに、低コストでの提供が可能になるという効果を奏する。
【００１０】
また、本発明の請求項２に係る自動販売機用の商品見本によれば、半割り状の商品見本における、商品情報表示部分の少なくとも一部が立体的に起立するので、需要者に対する商品アピール度が向上するとともに、低コストでの提供が可能になるという効果を奏する。
【発明を実施するための最良の形態】
【００１１】
以下、本発明の好適な実施形態を添付図面に基づいて説明する。ここにおいて、図１は缶状商品見本における表示シートの正面図、図２は同じく商品情報表示部分の一部が立体的に起立した状態の斜視図、図３は同じく枠体を示す斜視図、図４は同じく表示シートを枠体に取り付けた状態を示す斜視図、図５はボトル状半割状商品見本の商品情報表示部分の一部が立体的に起立した状態の斜視図である。
【００１２】
図１、図２及び図４に示すように、表示シート２と枠体３からなる缶状商品見本１の表示シート２には、内容を示す「オレンジジュース」、宣伝文である「ＮＥＷ」、品質を示す「１００％」という３つの商品情報４，５，６が表示されている。図１に示すように、商品情報５の外側には、全体の三方を囲むように切り込み７が形成され、商品情報６の外側には、ほぼ右側半分の三方を囲むように切り込み８が形成されている。図３に示すように、枠体３は公知の構成で、図示していないが、前記表示シート２の周縁を係止する係止部を備えている。
【００１３】
表示シート２を湾曲させると、図２に示すように、各切り込み７，８で囲まれた部分が、立体的に起立した状態となる。この状態の表示シート２を、図３に示す枠体３の図示していない係止部に、その周縁が係止されるよう装着すれば、図４に示す缶状商品見本１となる。この缶状商品見本１は、各商品情報５，６が立体的に起立して、人目を引くものとなる。
【００１４】
図５はボトル状商品見本に関する実施形態を示すもので、ボトル状半割状商品見本１１は、ボトル型の中空成形商品容器を前後に半割状にした形状で透明な合成樹脂製である。このボトル状半割状商品見本１１には、商品容器のデザインにならった文字で表示した「お茶」という内容を示す商品情報１２と、「新発売」という宣伝文である商品情報１３を設けている。
【００１５】
商品情報１３は、そのほぼ全体の三方を囲むように切り込み（図示せず）が設けられることにより、起立状態となっている。したがって、このボトル状半割状商品見本１１は、商品情報１３が立体的に起立して、人目を引くものとなる。
【００１６】
なお、本発明は上述の各実施形態に限定されるものではなく、例えば、切り込み７，８で立体的に起立させる商品情報５，６，１３は、文字情報のみならず、図柄でもよい。
【図面の簡単な説明】
【００１７】
【図１】缶状商品見本における表示シートの正面図。
【図２】同じく商品情報表示部分の一部が立体的に起立した状態の斜視図。
【図３】同じく枠体を示す斜視図。
【図４】同じく表示シートを枠体に取り付けた状態を示す斜視図。
【図５】ボトル状半割状商品見本の商品情報表示部分の一部が立体的に起立した状態の斜視図。
【符号の説明】
【００１８】
１      缶状商品見本
２      表示シート
３      枠体
４，５，６，１２，１３      商品情報
７，８      切り込み
１１      ボトル状半割状商品見本
【図１】
2006079518.tif 000003
【図２】
2006079518.tif 000004
【図３】
2006079518.tif 000005
【図４】
2006079518.tif 000006
【図５】
2006079518.tif 000007